(57)【要約】【課題】電子機器の廃棄時、電池を小面積開口部から簡単に引き出すことが可能な電子機器及び電子機器の電池引き出し方法を提供する。【解決手段】主基板５８との間にフレキシブルプリント基板等の帯状可撓性接続部材２５を介して電池２４を配設し、この電池を開口部２１を閉蓋する蓋部２２に結合させて置き、電池２４の廃棄時には蓋部２２を開けて、ケーシング２０，４３外に電池を引き出して帯状可撓性接続部材２５を引っ張って切断することで主基板５８と電池２４を切り離す様にする。【選択図】        図１
2005026355.tif 000002
【特許請求の範囲】
【請求項１】
筐体又はシャーシの一部に設けられた開口部を介して電池を取り出す様に成した電子機器に於いて、
上記電池に接続された主基板と、
上記主基板と上記電池とを接合する帯状可撓性接続部材と、
上記帯状可撓性接続部材に接続され、上記電池を配設させた副基板と、
上記副基板を係止する蓋部又は主基板とを具備し、
上記開口部の上記蓋部を開蓋することで上記主基板から上記帯状可撓性接続部材を介して上記副基板上の上記電池を上記蓋部と共に上記開口部外に引き出す様に成したことを特徴とする電子機器。
【請求項２】
前記電池を前記主基板とは別体の上記副基板上に着脱自在に配設させたことを特徴とする請求項１記載の電子機器。
【請求項３】
前記電池と前記蓋部間を帯状可撓性部材で接合させたことを特徴とする請求項１又は請求項２記載の電子機器。
【請求項４】
前記副基板を前記主基板又は前記蓋部に仮保持させる様に成したことを特徴とする請求項１乃至請求項３のいずれか１項記載の電子機器。
【請求項５】
前記開口部を一次電池挿入開口部とは異なる一次電池収納壁内に設けたことを特徴とする請求項１乃至請求項５のいずれか１項記載の電子機器。
【請求項６】
筐体又はシャーシの一部に設けられた開口部を介して電池を取り出す様に成した電子機器の電池又は電気部品の取り出し方法に於いて、
主基板に接続された帯状可撓性接続部材の他端に設けた電池又は電気部品を載置した副基板を蓋部又は主基板に結合させ、上記開口部を閉蓋している上記蓋部を外すことで上記主基板から上記帯状可撓性接続部材を介して上記副基板と共に上記電池又は電気部品を上記開口部外に引き出す様に成したことを特徴とする電子機器の電池又は電気部品取り出し方法。
【発明の詳細な説明】
【０００１】
【発明の属する技術分野】
本発明は、電子機器に内蔵させた電池の取り出し構造及び電池又は電気部品の取り出し方法に関する。
【０００２】
【従来の技術】
従来から、携帯用のＣＤプレーヤ、ＭＤ、ＤＶＤレコーダ、デジタルカメラ、ビデオレコーダ、電話機、ＰＤＡ等の電子機器に内蔵した二次電池はカドミウムや鉛電池が用いられ、これらを二次電池を内蔵した電子機器を廃棄する際には簡単に取り外して分別することがリサイクルに対する法律で求められている。
【０００３】
又、ユーザが簡単に一次電池や二次電池交換を行える構成の電子機器及び電子機器の電池取り出し方法が希まれている。
【０００４】
上述の様に従来から一次及び二次電池の交換、取り外しを可能にした電子機器の取り出し構成が種々に提案されているが、本出願人は先に可撓性のあるフレキシブル基板に電気的に二次電池を接続させ、このフレキシブル基板に対し容易に破断される破断片部を設け、この破断片部に二次電池を取り付けて取り外し時には破談片部を切り取って、二次電池を廃棄する様に成した構成を特許文献１に出願している。
【０００５】
図１１（Ａ）は上記特許文献１に開示されている電子スチルカメラ１を示すものであり、レンズ部３の鏡筒３やフラッシュ窓を前面に有するケーシング２の底面部５に二次電池６を挿入する開口部７を設け、蓋体８に設けた係合爪９で開口部７に蓋部８を係止している。
【０００６】
開口部７内には図１１（Ａ）のＡ部拡大図の図１１（Ｂ）に示す様にフレキシブル基板１０上に補強基板１１が貼着され、この補強基板１１に切欠部１２を形成し、フレキシブル基板１０が表れる様にすると共にこのフレキシブル基板１０に溝１３を形成し、破断片部１４上に二次電池６を載置し、この電子スチルカメラを廃棄する時には図１１（Ａ）に示すように二次電池６を折り曲げて破断片部１４を切り取って二次電池６を別に分別して廃棄する様に成されている。
【０００７】
【発明が解決しようとする課題】
上述の電子機器では蓋体８をドライバ等で開け、ケーシング２内に入っている破断片部１１を手で持ち上げて切断し、破断片部１１を図１１（Ａ）の様にケーシング２の外に取り出さなければならない。従って、最初に蓋体８を外し、フレキシブル基板１０の破断片部１４を持ち上げて切断し、その後、二次電池６をケーシング２の外に取り出す為に３アクションが必要と成る。上述の破断片部１４を持ち上げてフレキシブル基板１０を切断する動作を行なうために開口部７は所定のスペースが必要であり、開口部７の開口面積を大きくしなければならず、更に、これらの開口部７はケーシング２の６面のうちのいずれかに配設しなければならない課題があった。
【０００８】
本発明は叙上の課題を解消するために成されたものであり本発明が解決しようとする課題は開口部７の開口面積は小面積で充分であり、開口部７をケーシングの６面内に設けなくても、ケーシング内に取り付けることが出来て、二次電池の取り出しと切断操作が１アクションで済む様に成した電子機器及び電子機器の電池又は電気部品の取り出し方法を得ることを目的とする。
【０００９】
【課題を解決するための手段】
本発明の電子機器及び電子機器の電池又は電気部品の取り出し方法は電池が載置された副基板を主基板と分離させて帯状可撓性接続部材で接合させる様に成し電子機器のケーシングから電池だけを引き出せる様に成したものである。
【００１０】
本発明の電子機器は筐体又はシャーシの一部に設けられた開口部を介して電池を取り出す様に成した電子機器に於いて、電池に接続された主基板と、主基板と電池とを接合する帯状可撓性接続部材と、この帯状可撓性接続部材に接続され、電池を配設させた副基板と、この副基板を係止する蓋部又は主基板とを具備し、開口部の蓋部を開蓋することで主基板から帯状可撓性接続部材を介して副基板上の電池を蓋部と共に開口部外に引き出す様に成したものである。
【００１１】
本発明の電子機器の電池又は電気部品の取り出し方法は筐体又はシャーシの一部に設けられた開口部を介して電池を取り出す様に成した電子機器の電池又は電気部品の取り出し方法に於いて、主基板に接続された帯状可撓性接続部材の他端に設けた電池又は電気部品を載置した副基板を蓋部又は主基板に結合させ、開口部を閉蓋している蓋部を外すことで主基板から帯状可撓性接続部材を介して副基板と共に電池又は電気部品を開口部外に引き出す様に成したものである。
【００１２】
斯かる、本発明の電子機器及び電子機器の電池又は電気部品の取り出し方法によれば、蓋部を外すだけの１アクションでバックアップ用の二次電池を取り出すことが可能となり、ケーシング外に引き出された二次電池を載置した副基板或は蓋部を引っ張るだけで主基板から二次電池を切り離して廃棄することが出来る。
又、開口部を小さく出来ると共にケーシングの６面内に開口部を設けなくてもケーシング内に配置したので蓋部を誤って開ける危険性がなく、ケーシングの６面内に蓋部がないためデザイン的に自由度の増すケーシングが得られる。
【００１３】
【発明の実施の形態】
以下、本発明の１形態例を示す電子機器の電池の取り出し方法を図１及び図２によって説明する。図１は電子機器からの電池の引き出し状態を示す斜視図、図２は電池を載置した副基板と蓋部の結合状態を示す斜視図である。
【００１４】
図１及び図２に於いて２０は上記した各種の例えばデジタルカメラや携帯用ビデオレコーダ等のケーシングであり、このケーシング２０の底面に穿った矩形状の開口部２１には蓋部２２が図２に示す係止爪２３を介して常時閉蓋されている。
【００１５】
ケーシング２０内には図示されていないがバックアップ用の電池２４で駆動される時計回路等の主基板が配設され、この主基板の１端にフレキシブル基板或はフレキシブルケーブル等の帯状可撓性接続部材２５が主基板と１体又は半田付、或は平型コネクタ等を介して接続されている。
【００１６】
この帯状可撓性接続部材２５の他端は図２に示すように係止孔２６が穿たれ、蓋部２２の裏面に該蓋部と１体形成したガイド部２７に形成した係止片２８に係止孔２６を嵌合させて帯状可撓性接続部材２５を蓋部２２に結合させ容易に離脱しない様に固定させてある。
【００１７】
帯状可撓性接続部材２５の蓋部２２に近い位置に略正方形状の副基板２８を接着剤等を介して接合させ、電池２４を副基板２９に固定されたＬ字状のスプリング力を有する押圧部３０で押圧保持すると共に電池２４の両電極の電圧を副基板２９及び帯状可撓性接続部材２５を介して主基板の時計回路等に出力させる。更に、帯状可撓性接続部材２５の例えば副基板２８寄りに切溝やミシン目３１を形成し、蓋部２２を強く引っ張った時に、この切溝３１間で帯状可撓性接続部材２５が切断できる様に構成されている。
【００１８】
上述の帯状可撓性接続部材２５がフレキシブル基板で構成されている場合は副基板２９はプラスチック等の補強部材であってもよい。
【００１９】
更に、ケーシング２０内に電池及び帯状可撓性接続部材２５を収納させた状態では副基板２９を仮保持させたり、帯状可撓性接続部材２５を弛ませる様にして置くことも出来る。
【００２０】
次に、本発明の他の形態例を図３乃至図１０について詳記する。図３及び図４は本発明の電池取り出し機構が使用される電子機器を示す斜視図と電池挿入の開口部が設けられたケーシングの右側面図である。
【００２１】
図３及び図４に於いて、電子機器４０は撮像手段としてのカメラ部４１と、被写体像や音声情報を記録・再生可能な、例えばＨＤＤ（ハード・ディスク・ドライブ）ユニット等の記録媒体記録駆動ユニットを内蔵した本体部４２とで構成される。
【００２２】
本体部４２のケーシング４３の下端側に配設した枢軸４４にカメラ部４１が回動可能に枢着されている。カメラ部４１にはレンズ４５が設けられ、このレンズ６を手前側或は背面側までの１８０°の範囲内で所定位置に設定することが出来る。
【００２３】
本体部４２の前面（パネル）側にはＬＣＤ等の表示部４６や各種操作釦群４７が配設され、この表示部４６と略平行する様に薄型のＨＤＤユニット（図示せず）が配設され、操作釦群４７の左側にはＨＤＤアクセス用のＬＥＤ４８等が配設されて、ＨＤＤユニットのアクセス状態の監視を本体部４２の外側から可能と成されている。
【００２４】
又、本体部４２の半円状部４９がクレードル（図示せず）の半円状凹部に嵌め込まれることで電気的接続が成され、クレードルの映像端子、音声端子、ＵＳＢ（Ｕｎｉｖｅｒｓａｌ  Ｓｅｒｉａｌ  Ｂａｓ）端子を介してＣＰＵやＣＲＴ等へ入出力される。
【００２５】
図４は図３の矢印Ａ方向から視た平面図であり、本体部４２のケーシング４３の左側面板５０には一次電池を挿入可能な開口部５２が略矩形状に形成され、この開口部５２を塞ぐ様に蓋部５１が嵌着されている。
【００２６】
図５は図４のケーシング４３の表示部４６の反対の背面側を上側にしたバックアップ用の一次又は二次電池２４の取り出し状態を示す斜視図、図６（Ａ）は図５の略線的平面図であり、ケーシング４３内には左側面板５０の開口部５２に沿って一次電池収納部５４が設けられ、略直方体状の空間が形成されている。
【００２７】
この一次電池収納部５４を形成する略コ字状に形成された枠部材５５の左側板５５Ｌにバックアップ用の二次電池２４を収納可能な開口部２１を形成する。枠部材５５を形成する背面板５５Ｂ及び左側板５５Ｌの外側には略Ｌ字状の主基板５８が図６（Ａ）８Ｂ）に示す様に配設され、主基板５８には時計回路等の回路パターンが形成されている。
【００２８】
上述の主基板５８は図６（Ｂ）の斜視図に示す様にフレキシブルプリント基板（以下ＦＰＣと記す：Ｆｌｅｘｉｂｌｅ  Ｐｒｉｎｔｅｄ  Ｃｉｒｃｕｉｔ）が用いられる。本例ではこの主基板５８と帯状可撓性接続部材２５とはＦＰＣで一体形成される。即ち主基板５８と帯状可撓性接続部材２５、副基板載置部６３、帯状可撓性部材６４及びダミー基板載置部６５を一体に打ち抜いて、主基板５８及び帯状可撓性接続部材２５及び副基板載置部６３までに所定の片面或は両面パターニングを施す。
【００２９】
また帯状可撓性接続部材２５の帯状幅Ｗを帯状可撓性部材６４の帯状幅Ｗ１より小さく選択し、ダミー基板載置部６５を矢印Ｂ方向に引っ張った時に帯状可撓性接続部材が先に切断される様にする。或は帯状可撓性接続部材２５側に切溝３１を入れたり、配線部を除いた部分にミシン目等を入れる様にし、所定の引張力で帯状可撓性接続部材２５を切断できる様に成されている。
【００３０】
副基板載置部６３上にはプリント基板或は合成樹脂部材で略矩形状に形成した押圧部３０を設けた副基板２９を接合させる。又、ダミー基板載置部６５には後述するも蓋部２２との結合部材となるダミー基板６６を接着剤等を介して接合させる。
【００３１】
上述の構成では帯状可撓性接続部材２５をＦＰＣで構成させた場合を説明したが、平角導体フラットケーブル等のフレキシブルフラットケーブル（以下ＦＦＣと記す：Ｆｌｅｘｉｂｌｅ  Ｆｌａｔ  Ｃａｂｌｅ）等を用いてもよい。又、帯状可撓性部材６４の部分は可撓性のある金属板、プラスチック板、ＦＦＣ、ＦＰＣ等であってもよい。
【００３２】
更に、副基板２９とＦＰＣから成る副基板載置部６３を別体に構成させたが、この部分をＦＰＣ多層構成として、二次電池を押圧部３０を用いずに半田等で直接接続する様にしてもよい。
【００３３】
図７はケーシング４３の枠部材５５の左側板５５Ｌ内に副基板２９を収納した状態の側断面図を示すもので上述のダミー基板６６、副基板２９を載置した帯状可撓性接続部材２５及び帯状可撓性部材６４は図７に示す様にケーシング４３の主基板５８上で折り畳まれた状態でフリー状態にして置いてもよいが、図８乃至図１０に示す様に副基板２９を仮係止部５９に仮係止し、ダミー基板６６を蓋部２２に係止させる様にすることも出来る。
【００３４】
図８は副基板２９上に押圧部３０で保持された二次電池２４を主基板５８上に配設した仮係止部５９に仮係止させる状態を示すものであり、仮係止部５９には合成樹脂成型された基板上に断面略Ｌ字状と成した４個の係止爪６８ａ，６８ｂ，６８ｃ，６８ｄを立設する。
【００３５】
これら係止爪６８ａ，６８ｂは副基板２９の後側部２９Ｂと係合する様にＬ字状の溝６９を前方向に向けて立設され、係止爪６８ｃ，６８ｄは副基板２９の左右側部２９Ｌ，２９Ｒと係合する様にＬ字状の溝６９を左右方向に向けて立設させている。
【００３６】
更に、仮係止部５９には略矩形状の透孔７０が形成され、仮係止部５９と一体に形成した上方に偏倚力が付与される片持支持されたリード状の先端に突部７２を形成した係止片７１が形成されている。
【００３７】
従って、図８に於いて副基板２９を矢印Ｃ方向に帯状可撓性接続部材２５を副基板２９の下側に畳み込む様にして係止片６８ａ，６８ｂ，６８ｃ，６８ｄの溝６９にスライドさせることでリード状の係止片７１は押し下げられるが、副基板２９が係止片６８ａ，６８ｂ，６８ｃ，６８ｄに完全に差し込まれると係止片７１の突部７２が副基板２９の前側部２９Ｆに係止されてストッパの役目をはたす様に成る。
【００３８】
係止爪６８ａ，６８ｂ，６８ｃ，６８ｄに副基板２９を挿着した状態を図９及び図１０に示す。
【００３９】
次に、ダミー基板６６を蓋部２２内に係止させる方法を図９及び図１０によって説明する。
【００４０】
図９に於いて、蓋部２２の裏面には略Ｌ字状の係合爪７３ａ，７３ｂが立設されている。これら係合爪７３ａ，７３ｂは図１０に示す様に枠部材５５の左側板５５Ｌの裏側に形成した係止部７４ａ，７４ｂに係合されている。又、蓋部２２の右側端部には凹部７６が形成されている。
【００４１】
又、蓋部２２の裏面にはダミー基板６６を下端及び左右で規制して係止可能な係止部７４が形成され、更に、図１０に示す様に係止部７４内に挿入されたダミー基板６６の上動を規制するストッパ７５が形成されている。
【００４２】
従って、図９の矢印Ｄで示す様に蓋部２２の係止部７４にダミー基板６６を嵌着させると図１０の様にストッパ７５によってダミー基板６６は蓋部２２に固定される様に成される。依って、二次電池２４は通常状態では仮係止部５９上に仮係止された状態で固定されている。
【００４３】
本発明の電子機器の電池又は電気部品の取り出し方法としては、電子機器４０の本体部４２のケーシング４３に設けた一次電池収納部５４用の開口部５２からピンセットやマイナスドライバ等の先端が細くなっている工具の先端を蓋部２２の右側端部に形成した凹部７６に差込み、こじる様に蓋部２２を開口部２１から開蓋すると、蓋部２２に固定されているダミー基板６６と共に引き出され、帯状可撓部材６４でつながっている二次電池２４が載置された副基板２９は仮固定されている係止片７１の突部７２を乗り越えて、一次電池収納部５４の空間部から図５及び図６（Ａ）に示す様にケーシング４３の開口部５２から引き出すことが出来る。
【００４４】
この状態で、副基板２９を強く引き抜くことで帯状可撓性接続部材２５は切溝３１から切り離すことで二次電池２４を簡単に分別、廃棄することが出来る。
【００４５】
勿論、一次電池及び二次電池の交換時には開口部５２が副基板２９を引き出した状態で交換してケーシング４３内に収納させる様に成すこともできる。
【００４６】
上述の構成ではＨＤＤユニット等の記録媒体を記録、再生する記録媒体駆動ユニットとデジタルカメラ等の撮像手段を有する電子機器について説明したが、例えばデジタルカメラ、携帯用電話機、携帯用記録再生装置、携帯用撮像装置、携帯用端末装置（ＰＤＡ）等の電子機器に利用可能であり、又、副基板上に載置して開口部からケーシングの外側に引き出して交換、或は廃棄する部品は電池に限定されることなく、例えばカメラ等に用いるフラッシュ用の充電用のコンデンサ等の電気部品であってもよいことは明らかである。
【００４７】
【発明の効果】
本発明の電子機器及び電子機器の電池又は電気部品の取り出し方法に依れば、電子機器のケーシングに穿つ開口部の開口部面積を極めて小さくすることが出来るだけでなく、ケーシングを構成する６面内に開口部を設けなくてもケーシング内部のシャーシやプリント基板等にバックアップ用の二次電池を引き出す開口部を設けることが出来るので蓋部を誤って開蓋する危険性がなく、ケーシングの６面に開口部がないので、デザイン的に自由度の増したケーシングが得られ、蓋部をドライバ等で外すだけで１タッチで電池を引き出して蓋部や基板を強く引っ張るだけで電池を電子機器から切り放して廃棄することが可能と成る。
【図面の簡単な説明】
【図１】本発明の電子機器の電池引き出し方法の１形態例を示す略線的斜視図である。
【図２】本発明の電子機器の蓋部の結合状態の１形態例を示す略線的斜視図である。
【図３】本発明の電子機器の１形態例を示す外観斜視図である。
【図４】図３のＡ方向より視た電子機器の左側面板の平面図である。
【図５】本発明の電子機器の電池引き出し状態を説明するための斜視図である。
【図６】本発明の電子機器の電池引き出し状態を説明するための平面図及び主基板の斜視図である。
【図７】本発明の電子機器の電池の収納状態を示す側断面図である。
【図８】本発明の電池を仮固定させる方法を説明するための斜視図である。
【図９】本発明の電池を蓋部に固定する方法を説明するための斜視図である。
【図１０】本発明の電子機器の組立状態を説明するための斜視図である。
【図１１】従来の電子機器の電池収納方法を説明するための斜視図である。
【符号の説明】
２０，４３‥‥ケーシング、２１，５２‥‥開口部、２２，５１‥‥蓋部、２４‥‥電池、２５‥‥帯状可撓性接続部材、２９‥‥副基板、３１‥‥切溝、５８‥‥主基板
【図１】
2005026355.tif 000003
【図２】
2005026355.tif 000004
【図３】
2005026355.tif 000005
【図４】
2005026355.tif 000006
【図５】
2005026355.tif 000007
【図６】
2005026355.tif 000008
【図７】
2005026355.tif 000009
【図８】
2005026355.tif 000010
【図９】
2005026355.tif 000011
【図１０】
2005026355.tif 000012
【図１１】
2005026355.tif 000013
【手続補正書】
【提出日】平成16年5月28日(2004.5.28)
【手続補正１】
【補正対象書類名】明細書
【補正対象項目名】０００４
【補正方法】変更
【補正の内容】
【０００４】
上述の様に従来から一次及び二次電池の交換、取り外しを可能にした電子機器の取り出し構成が種々に提案されているが、本出願人は先に可撓性のあるフレキシブル基板に電気的に二次電池を接続させ、このフレキシブル基板に対し容易に破断される破断片部を設け、この破断片部に二次電池を取り付けて取り外し時には破談片部を切り取って、二次電池を廃棄する様に成した構成を出願している。


【手続補正２】
【補正対象書類名】明細書
【補正対象項目名】０００５
【補正方法】変更
【補正の内容】
【０００５】
図１１（Ａ）は上記出願に開示されている電子スチルカメラ１を示すものであり、レンズ部３の鏡筒３やフラッシュ窓を前面に有するケーシング２の底面部５に二次電池６を挿入する開口部７を設け、蓋体８に設けた係合爪９で開口部７に蓋部８を係止している。